(57)【要約】      （修正有）【課題】巻管チャック装置の構成では、従来から空気圧を利用してゴム製の風船を膨らませることによるチャック爪を巻管内で内側からクランプする方法があるが、ゴムとチャック爪の接続部から空気圧のリークが発生したりチャック装置の中心がずれたりする。又、機械的な巻管チャック装置に於いては、リンク機構を使用した複雑で組み立てにくいものが多かった。【解決手段】傾斜を持ちマグネット５を埋め込んだもので形成する棒状チャック爪４を、前後に制約をかけた穴７に配置し、磁性体の棒３をスライドさせる事によりチャック爪と磁性体の棒を滑らせ、巻管を内側からクランプする様に構成したものである。機械的リンク仕掛けを使用しないで、マグネットにより、吸引させる構成により、構造が極めて簡単となり、故障の原因を少なくすることが可能となるものである。【選択図】図２
2018111596.tif 000002
【特許請求の範囲】
【請求項１】
巻管の内部に挿通され周面に複数の孔部が設けられた円筒と、前記円筒の内部に配置され前記円筒の軸心と合致してスライドするテーパー部を有する心棒と、前記円筒の各孔部内に載置されると共に前記テーパー部に当接され前記心棒のスライドにより前記軸心から離れるように移動して前記巻管の内面に当接する複数の爪部とを備え、
前記爪部は、前記テーパー部に対して磁気吸着され且つ前記テーパー部に対してスライド可能に前記孔部内に保持されていることを特徴とする巻管チャック装置。
【請求項２】
前記爪部は磁石部分を備え、前記テーパー部は磁性体で構成され、前記テーパー部は、円錐形状又は多角錐形状に形成されていることを特徴とする請求項１に記載の巻管チャック装置。
【発明の詳細な説明】
【技術分野】
【０００１】  本発明は、シート巻取機等の巻管をチャックする巻管チャック装置に関する。
【背景技術】
【０００２】  従来の紙管などの巻管をチャックする装置は、巻管をチャック用の爪を内側からリンク仕掛けにより押し広げるようにしたり、ゴム製で風船状の筒を形成し巻管の中で、空圧により膨らませて巻管をチャック固定するように形成するものであった。
【発明の概要】
【発明が解決しようとする課題】
【０００３】  従来の巻管チャック装置では、巻管を固定する為内側から蝶番などの機構によるリンク仕掛けを使用するなど、複雑な構造を必要とし、またこれを製作するのはかなり大変な事であり、複雑な構造ゆえに故障も起こしうると考えられる。
又、ゴム風船を利用し、風船の周りに巻管を押さえるための爪を配置し、圧搾空気で膨らませて、この動きで巻管を内側からチャックする、と言う機構もあるが、ゴム風船と爪の接続部分に亀裂が入り、圧縮空気がリークし、巻管の固定が緩んでしまうなどの、不都合が生ずる。
【課題を解決するための手段】
【０００４】  上記の課題を解決するために、本発明の巻管チャック装置はチャック爪とこれを巻管内部を外側に押し付けるための円錐形状部型又は多角錐形状部型駆動部を、マグネットを介して接続し、円筒型心棒内に配置し、円錐形状部又は多角錐形状部をチャック爪に対して前後に駆動することで、円筒に加工した長穴から前述のチャック爪が出っ張ったり又は引っ込んだりすることにより、巻管をチャック固定したり、解除したりが出来るようにした事を特徴とするものである。
【発明の効果】
【０００５】  本発明の巻管チャック装置は、巻管をチャックする為の爪を駆動する為従来のリンク仕掛けを用いずに、円錐形状部又は多角錐形状部とマグネットを介して吸引させたチャック爪を円筒内に配置してある為、このチャック装置を組み立てる際の容易さが際立っていると考えられる。
又、構造が簡単故に、故障も少なく、メンテナンスでチャック爪の交換の際は爪がマグネットにより、吸引されているだけなので、簡単に引き離す事が可能であり、マグネットを設置した新しいチャック爪を、駆動するための前述の円錐形状部又は多角錐形状部の棒に吸引させるように置くだけで事足りるものである。
以上の事柄は、巻管チャックの製造にかかるコストの面においても非常に有効である。
【図面の簡単な説明】
【０００６】
【図１】本発明の一実施例による巻管チャックの構成を、円筒を断面として示す図。
【図２】本発明の一実施例による巻管チャックの部分拡大図を示し、心棒を矢印Ａの方向に駆動したときチャック爪が、矢印Ｃの方向に出っ張った状態を示す図。
【図３】本発明の一実施例による巻管チャックの部分拡大図を示し、心棒を矢印Ｂの方向に駆動したときチャック爪が、矢印Ｄの方向に引っ込んだ状態を示す図。
【図４】本発明の一実施例による巻管チャック装置の一部分を立体的に示す図。
【実施例１】
【０００７】本発明の巻管チャック装置の一実施例について図面に基づいて説明する。【０００８】  図１は、本発明の一実施例における巻管チャック装置の円筒１を、断面図として、円筒内に、円錐形状部又は多角錐形状部（テーパ―部）２を、心棒３で一つ又は複数、直列に繋ぎ合わせ、心棒３は、心棒受け６で支える。前述円錐形状部又は多角錐形状部２にはマグネット５を介してチャック爪４（爪部）を吸い付かせ円筒１に明けた穴（孔部）７から、円筒１の外部に突き出る様に配置構成する。【０００９】  上記の構成の巻管チャック装置の動作を、図１から図４を用いて説明する。
図２の拡大図において心棒３は円錐形状部又は多角錐形状部２に接続されていて、この心棒２を矢印Ａ、の方向に駆動すると、円錐形状部又は多角錐形状部２も矢印Ａの方向に移動する、この時マグネット５を介して吸引されているチャック爪４に対して、円錐形状部又は多角錐形状部２の直径が大きくなり、さらにチャック爪４は円筒１の穴７に引っかかっており、矢印Ａの方向へは動かない為円筒１の外周方向、すなわち、矢印Ｃの方向へ出っ張る、チャック爪４は複数で構成されている為円筒１の外周には複数のチャック爪４が出っ張る事となる、この時円筒１に巻管が置かれていれば、巻管は内側からチャック固定される事となる。【００１０】  次に、図３の拡大図において、心棒３を矢印Ｂの方向に駆動すればこれに接続している前述の円錐形状部又は多角錐形状部２も同時に矢印Ｂの方向へ移動する、これにより、チャック爪４に対して前述の円錐形状部又は多角錐形状部２の直径が小さくなり、さらにチャック爪４は円筒１の穴に引っかかっており、矢印Ｂの方向へは動かない為、マグネット５により吸引され円筒１の中心方向、すなわち矢印Ｄの方向へ引っ込む、これにより巻管を押し広げていたチャック爪４の内側からの圧力が取り除かれ巻管へのチャック固定が解除され、巻管を外す事ができる。【００１１】  前述矢印Ａの方向又は矢印Ｂの方向にスライドする前述円錐形状部又は多角錐形状部２と  チャック爪４とは、マグネット５を介して吸引されている、マグネット５の吸引力を適当に選び前述円錐形状部又は多角錐形状部２とチャック爪４とのスライドによる摩擦を適宜に設定すれば、チャック爪４は円筒１の外周方向に外れる事はなく、巻管チャックとしての形状及び機能を保つことができる。【００１２】  次に図４において円筒１の中に、円錐形状部又は多角錐形状部２を連結した心棒３とを心棒受け６に通し配置した後にチャック爪４のマグネット５側を円錐形状部又は多角錐形状部２に向け円筒１の穴７から入れ吸引させる。
これは巻管チャック装置を組み立てる上で、非常に簡単であり、調整もほとんど不要である、又、チャック爪４の交換時においても、マグネット５で吸引されているチャック爪４を引き取り外し、代わりのチャック爪４を新たに吸引させるのみで完了する。
【符号の説明】
【００１３】１    円筒
２    円錐形状部又は多角錐形状部
３    心棒
４    チャック爪
５    マグネット
６    心棒受け
７    穴
【図１】
2018111596.tif 000003
【図２】
2018111596.tif 000004
【図３】
2018111596.tif 000005
【図４】
2018111596.tif 000006